(57)【要約】【課題】従来の多角形印判は極く微細な細隙を通じてインキが揮発してしまい、時間の経過につれてインキが揮発してしまう欠点があった。【解決手段】ホルダーの下方周面に鍔部を張設するとともに前記ホルダーの下方に多孔性印字体を収納した印字体収納筒部を続かせてなる印判本体と、上方周面にシール部材収納溝部を設けてシール部材を装填してなる内キャップと上方周内面に突起を設けてなる外キャップで構成されるキャップとからなる印判であって、前記内キャップは弾性体を介して昇降可能に前記外キャップに保持され、前記外キャップの突起が前記ホルダーの鍔部に係合して前記印判本体と前記キャップが嵌合すると前記内キャップが前記弾性体によって弾発上昇して前記シール部材が前記鍔部の下端に達し、前記多孔質印字体を密閉できることを特徴とする印判である。【特許請求の範囲】
【請求項１】
ホルダーの下方周面に鍔部を張設するとともに前記ホルダーの下方に多孔性印字体を収納した印字体収納筒部を続かせてなる印判本体と、上方周面にシール部材収納溝部を設けてシール部材を装填してなる内キャップと上方周内面に突起を設けてなる外キャップで構成されるキャップとからなる印判であって、前記内キャップは弾性体を介して昇降可能に前記外キャップに保持され、前記外キャップの突起が前記ホルダーの鍔部に係合して前記印判本体と前記キャップが嵌合すると前記内キャップが前記弾性体によって弾発上昇して前記シール部材が前記鍔部の下端に達し、前記多孔質印字体を密閉できることを特徴とする印判。
【発明の詳細な説明】
【０００１】
【発明の属する技術分野】
本発明は、不使用時におけるインキ洩れやインキの揮発防止機能を有する印判に関するものである。
【０００２】
【従来の技術】
印判本体の下端にその印字面から揮発性インキが揮発することを防止するためのキャップを嵌装するようにした印判は実公昭６０−２１２３７号、実公平２−３４０５４号などにより広く知られている。これらは、キャップと印判本体との接触面にシール部材を介在させることにより揮発防止効果を得ているが、両者を均一に密着させる必要がある為、ねじ嵌合など均一な力をもって嵌合できる構成をとる必要があり、したがって丸型印判しか存在していなかった。
そこで、本出願人は実公平７−９６５７においてフック部材による挟付嵌合を提案し、キャップと印判本体とを密着させて両者の気密を図り、丸型印判以外の多角形印判もインキの揮発防止効果を有する印判を得ることができた。
しかしながら、実公平７−９６５７号はフック部材の爪が存在する箇所と爪が存在しない箇所に微妙な嵌合力の差が生じて接触間の極く微細な細隙を通じてインキが揮発してしまい、この程度のシールではインキの揮発を完全に防止できず、時間の経過につれてインキが揮発してしまう欠点があった。
【０００３】
【特許文献１】
実公昭６０−２１２３７号公報
【特許文献２】
実公平２−３４０５４号公報
【特許文献３】
実公平７−９６５７号公報
【０００４】
【発明が解決しようとする課題】
本発明が解決しようするところは、前記のような従来の印判の欠点をなくし、シール部材が優れたシール効果を発揮して揮発性のインキを使用した場合でも完全にインキの揮発を防止できる印判を提供することにある。
【０００５】
【課題を解決するための手段】
前記のような課題を解決しようとする本発明の印判は、ホルダーの下方周面に鍔部を張設するとともに前記ホルダーの下方に多孔性印字体を収納した印字体収納筒部を続かせてなる印判本体と、上方周面にシール部材収納溝部を設けてシール部材を装填してなる内キャップと上方周内面に突起を設けてなる外キャップで構成されるキャップとからなる印判であって、前記内キャップは弾性体を介して昇降可能に前記外キャップに保持され、前記外キャップの突起が前記ホルダーの鍔部に係合して前記印判本体と前記キャップが嵌合すると前記内キャップが前記弾性体によって弾発上昇して前記シール部材が前記鍔部の下端に達し、前記多孔質印字体を密閉できることを特徴とするものである。
【０００６】
【実施例】
次に、本発明を図示の実施例により詳細に説明する。
本発明の印判は、印判本体１とキャップとからなり、以下それぞれ詳述する。
１は略直方体のホルダー３の下方に印字体収納筒部４を続かせてなる印判本体であって、ホルダー３の上端開口には表示ラベル付きの蓋２を嵌着し、印字体収納筒部４には多孔質印字体５と必要に応じインキ吸蔵体６が収納してある。また、前記ホルダー３の下方周面には鍔部７を一体に張設してある。実施例ではホルダー３の中腹部分に仕切りを設け、インキ補充口８及びバネ９を設置し、バネ９の弾発下に多孔質印字体５とインキ吸蔵体６とを収納させてある。
２０は内キャップ２１と外キャップ２２とからなるキャップである。内キャップ２１の上方周面にはシール部材収納溝部２３が形成してあって、そのシール部材収納溝部２３の中にはシール部材２４が装填してある。シール部材２４は主にシリコーンゴムよりなる断面が樋状のリング体であって、その上面に一連の隆条が形成されており、前記シール部材収納溝部２３より隆条を突出させて装填させてある。外キャップ２２の上方周内面には突起２５が形成してある。
前記内キャップ２１と外キャップ２２とからキャップ２０は構成されるが、内キャップ２１と外キャップ２２との間には弾性体２９が設置され、内キャップ２１は弾性体２９を介して昇降可能に外キャップ２２に保持されている。また、内キャップ２１の下面に形成した内キャップ係止部３０と外キャップの内面に形成した外キャップ係止部３１との間で昇降可能に保持しつつも分離不可能となるように双方を係合してある。実施例ではキャップ２０をこのような構成にすることで、内キャップが前記弾性体２９の影響により上方向に常に弾発されつつも前記係止部によって内キャップと外キャップが分離しないように係止している。また、弾性体を適当な位置に複数配置することによって、均一かつ強力な力をもって内キャップを上方向に弾発している。
前記印判本体１をキャップ２０に装着するには、ホルダー３を持ってキャップ２０の上面から挿入を行なう。初めにホルダー３の鍔部７が外キャップ２２の突起２５に当接するが、突起２５の抵抗力に抗しつつ更に推し進めると、外キャップ２２を押し広げつつ突起２５を乗り越え、外キャップ２２に設けてある鍔部受３２に当接して停止し、突起２５が鍔部７と係合して前記印判本体１と前記キャップ２０が嵌合する。
このように構成されたものは、前記内キャップ２１が弾性体２９を介して昇降可能に前記外キャップ２２に保持されているので、前記内キャップ２１が前記弾性体２９によって弾発上昇して前記シール部材２４が前記鍔部７の下端に達し、キャップ２０内を外部と完全に遮断することができるので、多孔質印字体５に揮発性のスタンプインキを含浸させた場合でも、多孔質印字体５からのインキの揮発を完全に防止できる。
印判を使用する時は、ホルダー３を外キャップ２２の突起２５の抵抗力に抗して引き抜けば、外キャップ２２の突起２５とホルダー３の鍔部７との係合が解かれてキャップ２０は外れ、多孔質印字体５は捺印するうえに適量のスタンプインキが浸出された状態で露呈されるから、後は従来の印判と同様にホルダー３を把持して捺印操作を行えばよい。
なお、実施例では印字体収納筒部４内に多孔質印字体５とインキ吸蔵体６を収容してあるが、インキ吸蔵体６を用いなくても一向に構わない。また、本実施例はホルダー３の中腹部分の仕切りにインキ補充口８を設けたので、印字体収納筒部４を取り外さなくても、インキを補充することができ、インキ補給を行うのに好都合なものとなる。また、ホルダー３の中腹部分にバネ９を設置し、バネ９の弾発下に多孔質印字体５とインキ吸蔵体６とを収納させてあるので、捺印時のクッション性を高めることができる。
【０００７】
【効果】
本発明は、弾性体にて内キャップを上方向に常に弾発しているので、均一かつ強力な力をもってシール部材がホルダーの鍔部を押圧することができ、キャップ内を外部と完全に遮断することが可能である。従って、揮発性のスタンプインキを使用した場合でも、多孔質印字体からのインキの揮発を適確容易に防止できるもので、構造が簡単なため安価に提供できる利点と相俟ち実用的価値極めて大なものである。
【図面の簡単な説明】
【図１】実施例の斜視図
【図２】実施例の縦中央断面図
【図３】実施例の横中央断面図
【符号の説明】
１  印判本体
２  蓋
３  ホルダー
４  印字体収納筒部
５  多孔質印字体
６  インキ吸蔵体
７  鍔部
８  インキ補充口
９  バネ
２０  キャップ
２１  内キャップ
２２  外キャップ
２３  シール部材収納溝部
２４  シール部材
２５  突起
２９  弾性体
３０  内キャップ係止部
３１  外キャップ係止部
３２  鍔部受
【図１】
2004243646.tif 000002
【図２】
2004243646.tif 000003
【図３】
2004243646.tif 000004